(57)【要約】【課題】移動端末に登録したスケジュールを、操作部を操作することなく登録、修正できる移動端末用スケジュール管理システムを提供する。【解決手段】使用者は、スケジュールを登録又は修正しようとするとき、移動端末１と管理センタ２とを電話回線を介して接続する（Ｓ２）オペレータは、使用者と会話をすることにより、スケジュール登録又は修正に必要な情報を得て（Ｓ６）、スケジュールテーブルを作成又は修正する（Ｓ７）。作成又は修正したスケジュールテーブルは、管理センタから移動端末に送信される（Ｓ８）。移動端末は、受信したスケジュールテーブルを記憶部に記憶する（Ｓ１０）。以後、移動端末では、このスケジュールテーブルに従って、スケジュール管理を行う。【選択図】      図３
2005020557.tif 000002
【特許請求の範囲】
【請求項１】
管理センタと移動端末とから構成される移動端末用スケジュール管理システムであって、
前記管理センタのオペレータと前記移動端末の利用者との会話により、オペレータが入力したスケジュールを前記移動端末に送信し、
前記移動端末は、受信したスケジュールを記憶手段に記憶し、そのスケジュールを表示手段に表示すること、
を特徴とする移動端末用スケジュール管理システム。
【請求項２】
移動端末との間で通話をする通話手段と、
通話による基本情報から作成したスケジュールを記憶する記憶手段と、
前記作成したスケジュールを前記通話手段により前記移動端末に送信する手段と、
を具備することを特徴とする管理センタ。
【請求項３】
管理センタとの間で通話をする通話手段と、
前記通話手段で管理センタから受信したスケジュールを記憶する記憶手段と、
前記スケジュールを表示する表示手段と、
を具備することを特徴とする移動端末。
【発明の詳細な説明】
【０００１】
【発明の属する技術分野】
本発明は、車で移動するユーザや持ち運び可能な移動端末を所持するユーザに対するスケジュールを管理するシステム及びこのシステムを構成する管理センタ及び移動端末に関する。
【０００２】
【従来の技術】
車載機、ＰＤＡ、小型パソコンなどの移動端末に利用者のスケジュールを記憶させてスケジュール管理を行うことが行われている。スケジュール管理の具体的方法としては、スケジュール内容を表示部に表示したり、スケジュール開始時刻の前にアラームを鳴らして使用者にスケジュールが迫っていることを知らせたりすることが行われている。
車載機においてこのようなスケジュール管理を行うことで、ユーザは、スケジュール管理を装置に任せて、車の運転に専念することができる。
【０００３】
スケジュールを車載機に登録するには、パソコン、ＰＤＡなどでスケジュールを作成し、そのスケジュールを記憶させたメモリカードを車載機に装着する方法がある。また、停車中に、車載機に利用者が車載機の操作部を操作して直接登録する方法もある。移動端末がＰＤＡの場合は、専用ペンを用いて内容をユーザ自ら入力する方法が用いられる。
【０００４】
車載機などの移動端末に登録したスケジュールは、スケジュールを表示部に表示しながら移動端末の操作部を操作することにより、修正が可能である。また、移動端末がＰＤＡの場合には、専用ペンを用いてユーザ自らが修正入力を行うことが可能である。
【０００５】
【発明が解決しようとする課題】
しかし、スケジュールの登録、修正を行うため、車両の運転中に操作部を操作することは運転に支障をきたすことになり危険である。また、移動端末がＰＤＡの場合には登録、修正が煩雑である。さらに、歩行中にこのような移動端末の操作はしづらい上に、使用者は周囲への注意力が欠けてしまうおそれがあり、安全上の面でもこのような操作は好ましくない。
【０００６】
本発明は、移動端末に登録したスケジュールを、操作部を操作することなく登録、修正できる移動端末用スケジュール管理システムを提供することを目的とするものである。
また、本発明は、上記移動端末用スケジュール管理システムを構成する管理センタ及び移動端末を提供することを目的とするものである。
【０００７】
【課題を解決するための手段】
本発明は上記目的を達成するためになされたものである。本発明の移動端末用スケジュール管理システムは、管理センタと移動端末とから構成される。ユーザは、スケジュールを登録又は修正しようとするとき、移動端末に搭載した通話手段により、管理センタと電話回線などを介して接続し、オペレータと通話を行う。なお、移動端末に登録したスケジュールテーブルは管理センタにも同じ内容のデータを保存しておく。
【０００８】
オペレータは、ユーザと会話をすることにより、スケジュール登録又は修正に必要な情報を得て、センタ側のスケジュールテーブルを作成又は修正する。
作成又は修正したスケジュールテーブルは、管理センタから、通話手段により移動端末に送信される。
移動端末は、受信したスケジュールテーブルを記憶部に記憶する。以後、移動端末は、このスケジュールテーブルに従って、スケジュール管理を行う。
【０００９】
本発明によれば、管理センタ側の管理により移動端末にスケジュールが登録又は修正される。したがって、運転中であっても、利用者は運転に集中することができ、安全性を確保することができる。また、移動端末がＰＤＡの場合は、煩雑な操作を行うことなくスケジュールの入力、修正が行える。
【００１０】
【発明の実施の形態】
本発明の実施形態について図を用いて説明する。
図１は、車載機用スケジュール管理システムの構成を示す。
このシステムは、車載機１と管理センタ２により構成される。車載機１と管理センタ２とは基地局３、携帯電話回線４を介して通信が可能となっている。
【００１１】
車載機１は、車に搭載され、スケジュール管理部５、携帯電話などの通話装置６、記憶部７、ディスプレイ８、スピーカ９、カードリーダ１０を具備する。
管理センタ２は、スケジュール管理部１１、携帯電話回線４を介して車載機１と通信を行う送受信部１２、スケジュール記憶部１３、操作卓１４を具備する。操作卓１４には、ディスプレイ１５、キーボード１６が備えられている。
なお、携帯電話回線４の代りに、音声をデータ化してインターネット経由で通話できるようにしても良い。
【００１２】
ユーザは、車載機１によりスケジュール管理をしようとするとき、パソコン又はＰＤＡにより管理しているスケジュールテーブル１７を、メモリカードなどのメモリカードにコピーし、カードリーダ１０に装着する。スケジュール管理部５は、メモリカードからスケジュールを読み込み、記憶部７に記憶する。
なお、車載機１へスケジュールを入力する方法としては、メモリカードを利用するだけでなく、パソコン又はＰＤＡに登録されたスケジュールを無線ＬＡＮにより車載機に転送することもできる。また、車載機１に直接マニュアル入力することもできる。なお、移動端末がＰＤＡや小型パソコンの場合には、キーボードやペンを用いて情報を直接入力することができる。
【００１３】
車載機１のスケジュール管理部５は、スケジュール管理を行う。つまり、スケジュールをディスプレイ８に表示すること、スケジュール開始時刻が近づいたときに、ディスプレイ８、スピーカ９にアラームを表示したり、音声でスケジュール内容を案内したりすること、スケジュールの登録、修正などの処理を行う。これらについては、良く知られたものであるので、ここでの説明は省略する。
【００１４】
図２に、スケジュールテーブル１７の内容を示す。
項目番号に続いて、会議、結婚式などの項目名、会社名、式場などの予定場所、スケジュールの開始日時、終了時刻、案内の要否、案内開始時間が記録される。
案内の要否には、アラームや音声案内の必要があれば「要」、アラームが必要なければ「不要」が設定される。案内開始時間には、開始時刻の何分前にアラームを鳴らすかが設定される。
【００１５】
本例においては、スケジュールの登録、修正などの処理が、管理センタ２との共同処理により行うことを可能とするものである。
図３を用いて、車載機１のスケジュール管理部５と、管理センタ２のスケジュール管理部１１の動作を説明する。
利用者は、スケジュールの登録又は修正を管理センタ２に依頼しようとするとき、ディスプレイ８上にメニュー画面を表示させ、スケジュール登録、修正を選択する。この操作により、図３の処理がスタートする。
【００１６】
管理センタ２の電話番号が自動ダイヤルされ、車載機１と管理センタ２との間で電話回線が接続される（Ｓ１）。管理センタ２にユーザのスケジュールデータが登録されていない場合には、管理センタ２からスケジュールテーブル送信要求が車載機１に送信される（Ｓ１０１）。車載機１は、この送信要求を受信すると、記憶部７からスケジュールテーブル１７を抽出し、車載機ＩＤを付加して管理センタへ送信する（Ｓ２）。
【００１７】
管理センタ２では、受信したスケジュールテーブル１７を車載機ＩＤとともにスケジュール記憶部１３へ記憶し（Ｓ３）、オペレータを呼び出す（Ｓ４）。
オペレータは、スケジュールテーブル１７をディスプレイ１５に表示し（Ｓ５）、電話により運転者と会話を交わし（Ｓ６）、スケジュール登録又は修正のための情報を取得する。
【００１８】
オペレータは、取得した情報に基づいて、スケジュールテーブル１７の登録、修正を行う（Ｓ７）。
登録、修正作業が終了すると、スケジュールテーブル１７が、車載機１に送信され（Ｓ８）、スケジュール記憶部１３に記憶される（Ｓ９）。
【００１９】
車載機１では、受信したスケジュールテーブル１７で記憶部７に記憶する（Ｓ１０）。これにより、記憶してあるスケジュールテーブル１７が新たなものに書き換えられる。なお、管理センタ２から新規登録部分、修正された部分のみを送信し、車載機１では、修正された部分のみを書き換えるようにすることもできる。
【００２０】
車載機１は、スケジュールテーブルの記憶後、電話回線を切断する（Ｓ１１）。これにより、図示の処理が終了する。
以後、車載機１のスケジュール管理部５は、修正されたスケジュールテーブル１７を用いて、スケジュール管理を行う。
【００２１】
本例によれば、運転者は、メニュー画面を呼び出し、音声でオペレータと会話を進めていくだけで、スケジュールの登録、修正をすることができる。従って、運転上の安全を損なうことなくスケジュールの登録、修正をすることが可能になる。また、移動端末がＰＤＡなどの場合も、同様のシーケンスにより音声でオペレータと会話を行うだけで、煩雑な操作なしでスケジュールの登録、修正を行うことが可能になる。
【００２２】
【発明の効果】
本発明によれば、移動端末に登録したスケジュールを、操作部を操作することなく登録、修正できる移動端末用スケジュール管理システムを得ることができる。
【図面の簡単な説明】
【図１】本発明の実施形態１のスケジュール管理システムの構成を示す図である。
【図２】図１の車載機におけるスケジュールテーブルの内容を示す図である。
【図３】図１の管理センタにおけるスケジュールテーブルの内容を示す図である。
【符号の説明】
１…車載機
２…管理センタ
３…基地局
４…携帯電話回線
５…スケジュール管理部
６…通話装置
７…記憶部
８…ディスプレイ
９…スピーカ
１０…カードリーダ
１１…スケジュール管理部
１２…送受信部
１３…スケジュール記憶部
１４…操作卓
１５…ディスプレイ
１６…キーボード
１７…スケジュールテーブル
【図１】
2005020557.tif 000003
【図２】
2005020557.tif 000004
【図３】
2005020557.tif 000005